(57)【要約】【課題】製造が容易で、付け爪使用者が内容物を容易に後詰めすることのできる流動物封入型の付け爪を提供する。【解決手段】上記課題を解決するための付け爪１０は、ベース層１２と、ベース層１２との接着面を有し、透光性を有する部材により構成されるカバー層１４と、を有し、カバー層１４における前記接着面に凹部１４ａ２を備え、凹部１４ａ２に流動物３０を封入したことを特徴とする。また、このような構成を有する付け爪１０において流動物３０は、液体に粉体あるいは粒体を混入させたもの、あるいは比重および色彩が異なる２種以上の液体により構成することができる。【選択図】図１
2015066417.tif 000002
【特許請求の範囲】
【請求項１】
ベース層と、
前記ベース層との接着面を有し、透光性を有する部材により構成されるカバー層と、を有し、
前記カバー層における前記接着面に凹部を備え、
前記凹部に流動物を封入したことを特徴とする付け爪。
【請求項２】
前記凹部を貫通孔とし、前記カバー層の前記接着面と反対側の面に、コート層を備えることを特徴とする請求項１に記載の付け爪。
【請求項３】
前記凹部は、単一の接着面に複数設けられていることを特徴とする請求項１または２に記載の付け爪。
【請求項４】
前記凹部内に、前記流動物の自由流動を制限する凸部を形成したことを特徴とする請求項１乃至３のいずれか１項に記載の付け爪。
【請求項５】
前記流動物は、液体に粉体あるいは粒体を混入させたものであることを特徴とする請求項１乃至４のいずれか１項に記載の付け爪。
【請求項６】
前記流動物は、比重および色彩が異なる２種以上の液体であることを特徴とする請求項１乃至４のいずれか１項に記載の付け爪。
【請求項７】
前記ベース層は、樹脂コート層であることを特徴とする請求項１乃至６のいずれか１項に記載の付け爪。
【発明の詳細な説明】
【技術分野】  本発明は、装飾品に係り、特に付け爪に関する。
【背景技術】
【０００１】  従来知られている付け爪は、樹脂製の爪型に様々な色彩や装飾を施し、これを爪に張り付けるものとして知られている。装飾の中には、他の樹脂部材や金属部材を立体的にアレンジすることで、付け爪全体に立体感を持たせるものや、レンチキュラーシートなどを利用し、指先の動きに応じて絵柄が変化しているように見せるものも存在する。【０００２】  また、特許文献１には、付け爪の内部に空間を設け、この空間に粒体や液体等を封入し、指先の動きに応じて内容物が流動するアイデアが開示されている。
【先行技術文献】
【特許文献】
【０００３】
【特許文献１】  特開２００７−１８５４６３号公報
【発明の概要】
【発明が解決しようとする課題】
【０００４】  特許文献１に開示されている技術は、確かに付け爪内部の空間に封入された物質が指先の動き等に応じて動くこととなると考えられる。しかし、内部空間を一体形成された付け爪は、次のような問題を持つこととなる。まず、形成が困難である。次に、内部空間に内容物を後詰めすることが困難である。このため、内容物は、製造元が予め封入することとなり、付け爪使用者が内容物をアレンジすることが困難となるといった事項である。【０００５】  そこで本発明では、製造が容易で、付け爪使用者が内容物を容易に後詰めすることのできる流動物封入型の付け爪を提供することを目的とする。
【課題を解決するための手段】
【０００６】  上記目的を達成するための本発明に係る付け爪は、ベース層と、前記ベース層との接着面を有し、透光性を有する部材により構成されるカバー層と、を有し、前記カバー層における前記接着面に凹部を備え、前記凹部に流動物を封入したことを特徴とする。【０００７】  また、上記のような特徴を有する付け爪において、前記凹部を貫通孔とし、前記カバー層の前記接着面と反対側の面に、コート層を備える構成とすることもできる。
このような構成とした場合、カバー層は、いわゆる枠体として働き、その上下を薄物のプレートで封止する構成を採ることとなる。このため、各層の加工性が向上する。【０００８】  また、上記のような特徴を有する付け爪において、前記凹部は、単一の接着面に複数設けられるようにすると良い。
このような構成とすることによれば、流動物を封入する際のアレンジやデザイン性をさらに向上させることが可能となる。【０００９】  また、上記のような特徴を有する付け爪において、前記凹部内に、前記流動物の自由流動を制限する凸部を形成するようにしても良い。
このような構成とすることによれば、デザイン的なアレンジの他、付け爪に水時計や砂時計のような機能性を持たせることが可能となる。【００１０】  また、上記のような特徴を有する付け爪では、前記流動物は、液体に粉体あるいは粒体を混入させたものとすることができる。【００１１】  また、上記のような特徴を有する付け爪では、前記流動物は、比重および色彩が異なる２種以上の液体とすることもできる。【００１２】  さらに、上記のような特徴を有する付け爪において、前記ベース層は、樹脂コート層とすることもできる。
このような構成とすることによれば、流動物が直接爪に触れることが無く、爪へのダメージを無くすことができる。また、付け爪材料としてストックしておくものが、カバー層構成部品のみとすることができる。また、より簡易的な付け爪として利用することが可能となる。
【発明の効果】
【００１３】  上記のような特徴を有する付け爪によれば、製造が容易で、付け爪使用者が内容物を容易に後詰めすることが可能となる。
【図面の簡単な説明】
【００１４】
【図１】第１の実施形態に係る付け爪の平面構成を示す図である。
【図２】図１に示す付け爪のＡ−Ａ断面を示す図である。
【図３】図１に示す付け爪のＢ−Ｂ断面を示す図である。
【図４】図２に示す断面図において、カバー層とベース層を分離した構成を示す分解断面図である。
【図５】第２の実施形態に係る付け爪の平面構成を示す図である。
【図６】第３の実施形態に係る付け爪の平面構成を示す図である。
【図７】本発明に係る付け爪の応用形態を示す分解断面図である。
【発明を実施するための形態】
【００１５】  以下、本発明の付け爪に係る実施の形態について、図面を参照しつつ詳細に説明する。
まず、図１から図４を参照して、第１の実施形態に係る付け爪について説明する。なお、図１は、第１の実施形態に係る付け爪の平面図である。また、図２、図３は、それぞれ図１におけるＡ−Ａ断面と、Ｂ−Ｂ断面を示す図である。さらに、図４は、図２において、カバー層とベース層を分離した分解断面図である。
【００１６】  本実施形態に係る付け爪１０は、ベース層１２とカバー層１４とより構成されている。ベース層１２は、一方の面１２ａをカバー層１４との接着面とし、他方の面１２ｂを爪（不図示）との接着面として構成されている。本実施形態においては、一方の面１２ａは、その主面を平坦に形成し、これを接着面としている。接着面を平坦面とすることで、接合の容易性、および確実性が向上するからである。また、他方の面１２ｂは、一般的な爪の湾曲形状に倣って弧状の凹型に形成されている。爪に対する接着性を良好にするためである。
【００１７】  カバー層１４は、一方の面１４ａをベース層１２との接着面とし、他方の面１４ｂを付け爪の表層面としている。カバー層１４の一方の面１４ａは、平坦に形成された接合部１４ａ１と、一方の面１４ａの一部を凹状にくりぬいた凹部１４ａ２とより構成されている。凹部１４ａ２に流動物を注入しつつ、接合部１４ａ１を平坦に形成することで、接合後に凹部１４ａ２に封入した流動物が漏れ出すことを防ぐようにすることができる。また、平坦面として形成されている一方の面１４ａに凹部１４ａ２を形成して流動物を注入する構成とすることで、凹部１４ａ２の容積に対して十分な量の流動物を注入することが可能となる。また、カバー層１４を構成する部材は、透光性を有する部材とし、少なくとも凹部１４ａ２の形成位置に対応した他方の面１４ｂから、凹部１４ａ２の内部に注入（封入）した流動物が視認可能な構成とする。
【００１８】  カバー層１４の他方の面１４ｂは、付け爪１０の表層面として、所望する弧状を描くように形成する。ここで、実施形態に係る付け爪１０は、図１に示すように、カバー層１４よりもベース層１２の平面視形状が大きくなるように形成されている。このため、ベース層１２の側面は、カバー層１４の他方の面の弧状に連続する弧状を描く形態となるように、その形を整えるようにすると良い。付け爪１０全体としての美観を出すためである。
【００１９】  なお、ベース層１２とカバー層１４の接着面（一方の面１２ａと一方の面１４ａ）には、位置決めのための凹凸を設けるようにしても良い。
【００２０】  上記のように構成されるカバー層１４の凹部１４ａ２には、流動物３０が封入される。流動物３０としては、液体に粉体、あるいは粒体、またはフィルム状の薄物等を混入したものや、比重および色彩が異なる２種以上の液体、あるいはこれらを組み合わせたもの等であれば良く、粉体や流体のみであっても良い。
【００２１】  このように構成される付け爪１０によれば、ベース層１２とカバー層１４を別途製造し、これを接着して完成するため、個々の部品の製造が容易である。また、ベース層１２とカバー層１４を接着する前に、凹部１４ａ２に流動物３０を封入すれば良い。このため、封入する流動物３０には、付け爪１０の使用者が種々のアレンジを加えることができる。
【００２２】  このような構成の付け爪１０では、平面視した際に、凹部１４ａ２が見得る状態としていれば、表層面（カバー層１４の他方の面１４ｂ、およびベース層１２の側面）に、色彩や絵柄を施すこともできる。また、凹部１４ａ２に封入した流動物３０は、付け爪１０を付けた指先の動きに応じて動くこととなり、定型の色彩や絵柄と異なる楽しみを持つことができる。
【００２３】  次に、本発明の付け爪に係る第２の実施形態について、図５を参照して説明する。本実施形態に係る付け爪１０Ａは、殆どの構成を上述した第１の実施形態に係る付け爪１０と同一としている。よって、その構成を同一とする部分には、図面に同一符号を付して、その詳細な説明は省略する。
【００２４】  本実施形態に係る付け爪１０Ａでは、カバー層１４の一方の面１２ａ（図４参照）に、凹部を複数設けている事を特徴としている。複数の凹部（図５に示す例では、凹部１４ａ３，１４ａ４，１４ａ５）には、それぞれ異なる種類の流動物３０を封入しても良いし、同じ流動物３０を封入しても良い。また、各凹部１４ａ３〜１４ａ５は、平面視形状を同じとしても良いが、それぞれ異ならせるようにしても良い。
【００２５】  このような構成とすることによれば、上記第１の実施形態に係る付け爪１０の効果に加え、さらにアレンジに趣向を凝らすことが可能となる。
【００２６】  次に、本発明の付け爪に係る第３の実施形態について、図６を参照して説明する。本実施形態に係る付け爪１０Ｂも、その殆どの構成を上述した第１の実施形態に係る付け爪１０と同一としている。よって、その構成を同一とする部分には、図面に同一符号を付して、その詳細な説明は省略する。
【００２７】  本実施形態に係る付け爪１０Ｂでは、カバー層１４の一方の面１４ａ（図４参照）に設けた凹部１４ａ２内に、凸状の障害物（凸部１５）を設け、流動物３０の自由流動を制限する構成としている。例えば図６に示すように、凸部１５を漏斗状に形成してスリット１５ａを構成した場合、流動物３０の流れは、スリット１５ａにより制限されることとなる。そして、流動物３０を比重や色彩の異なる２種以上の液体や、液体中に粉体、あるいは粒体を混入させたもの、または粉体や流体そのものとした場合、流動物３０の一部（例えば比重の重い液体や、粉体、流体等）がスリット１５ａを通過する時間を規制することが可能となる。よって、付け爪１０Ｂに簡易的な水時計、あるいは砂時計としての機能を持たせることができる。なお、凸部１５の厚み方向の上面は、接合部１４ａ１（図４参照）と同一とし、接合時にベース層１２の一方の面１２ａ（図４参照）と接合可能な構成とすると良い。
【００２８】  このような機能を持った付け爪１０Ｂを装着した場合、当該付け爪１０Ｂを付けた指先を上下させるだけで、おおまかな時間を計測することが可能となる。
【００２９】  また、上記実施形態では、いずれも、ベース層１２とカバー層１４を接合する前に、凹部１４ａ２（凹部１４ａ３〜１４ａ５を含む）に対して流動物３０を配置し、その後にベース層１２とカバー層１４を接合する構成としている。しかしながら、本発明に係る付け爪は、ベース層１２またはカバー層１４に、両者を接合した後に凹部１４ａ２（凹部１４ａ３〜１４ａ５を含む）に連通する封止孔を設けるようにしても良い。
【００３０】  このような構成とすることによれば、ベース層１２とカバー層１４を接合した後に流動物３０を封入し、封止孔を閉じることができる。このため、ベース層１２とカバー層１４の接合を容易かつ確実に行うことが可能となる。また、凹部１４ａ２に対する空気等の混入割合を減らすことができ、デザイン的な美観を向上させることもできる。
【００３１】  また、上記実施形態ではいずれも、流動物３０の封入を容易化すると共に、接合の確実性を向上させるために、ベース層１２とカバー層１４の接合面を平坦化する旨説明した。しかしながら、本発明に係る付け爪は、両者の接合面が爪の形状に合致した湾曲面としたものも含む。
【００３２】  また、上記実施形態では、ベース層については、いずれも接着面を平坦面とした固形部材であるように記載した。しかしながら、本発明に係る付け爪を構成するためには、ベース層を液体部材を塗布したコーティング層とすることもできる。コーティング層とは、付け爪を施す爪の表面に樹脂コートを施した面であれば良い。カバー層に形成した凹部には、液体を封入する。このため、爪表面に直接カバー層を接着した場合には、液体により爪がふやけ、変色等が生じる虞がある。このため、爪の表面に樹脂コートを施し、コーティング層に対してカバー層を接着する構成とすることで、爪のふやけや変色を防ぐことが可能となる。
【００３３】  このような構成とした場合、ベース層は、付け爪を施す際に、爪表面にハケ塗り等することで構成することが可能となる。このため、付け爪使用者は、カバー層構成部材だけをストックしておけば良く、上記実施形態よりも簡易的に流動物を封入した付け爪を楽しむことが可能となる。
【００３４】  また、上記実施形態では、いずれもカバー層１４の一方の面１４ａに凹部１４ａ２を設け、ベース層１２と接着する２層構造により構成する旨記載した。しかしながら、本発明に係る付け爪は、図７に示すように、３層構造としても良い。具体的には、カバー層１４に設けた凹部１４ａ２を貫通孔とし、カバー層１４の一方の面１４ｂにコート層１６を貼付し、カバー層１４をベース層１２とコート層１６により挟み込む構造とするというものである。なお、少なくともコート１６は、透光性を有する部材により構成するものとする。
【００３５】  このような構成とする場合、ベース層１２とコート層１６を構成する部材は、可撓性を有する薄板とすれば良く、シート状部材を切り抜いたものであっても良い。よって、外郭を構成する構成部材としては、枠状に形成したカバー層１４と、シート状のベース層１２、およびコート層１６があれば足りることとなり、構成部材の量産性が向上し、生産コストを抑制することができる。
【００３６】  また、凹部１２ａ２を貫通孔とし、その上下を封止する構成とすることで、凹部１２ａ２に十分な深さを持たせることが可能となる。このため、流動物３０に混入させる粒状物等に厚みを持たせることが可能となる。
【００３７】  また、上記実施形態では、流動物３０については、液体を１つの要素としている。しかしながら、本発明の付け爪では、粉粒体そのものを流動物として扱うようにしても良い。なお、このような構成とする場合、カバー層１４やコート層１６に対して１つまたは複数の孔を開け、粉粒体に芳香を持たせるようにしても良い。ここで、孔の径は、粉粒体の平均径よりも小さなものとする。このような構成とした場合には、付け爪をつけた指先から、好みの香りを漂わせることができ、視覚のみならず、嗅覚をも楽しませることが可能となる。
【符号の説明】
【００３８】１０，１０Ａ，１０Ｂ………付け爪、１２………ベース層、１２ａ………一方の面、１２ｂ………他方の面、１４………カバー層、１４ａ………一方の面、１４ａ１………接合部、１４ａ２………凹部、１４ａ３………凹部、１４ａ４………凹部、１４ａ５………凹部、１４ｂ………他方の面、１５………凸部、１５ａ………スリット、３０………流動物。
【図１】
2015066417.tif 000003
【図２】
2015066417.tif 000004
【図３】
2015066417.tif 000005
【図４】
2015066417.tif 000006
【図５】
2015066417.tif 000007
【図６】
2015066417.tif 000008
【図７】
2015066417.tif 000009